【手続補正書】
【提出日】平成21年2月20日(2009.2.20)
【手続補正１】
【補正対象書類名】明細書
【補正対象項目名】０００４
【補正方法】変更
【補正の内容】
【０００４】
関連する技術として、非特許文献１には、ＰＡＣＳ（Picture Archiving and Communication System：医用画像情報システム）又はＲＩＳ（radiology information system：放射線科情報管理システム）からワークリストを受け取り、１つの合成された処理としてまとめられるべき１組の処理を認識し、それをＣＴスキャナに送ることにより１連の検査を行わせ、それによって得られた画像を個別の処理に対応するように分割してＰＡＣＳに蓄積させる装置（Automatic Study Breakup Device）が開示されている（第１３〜１４頁）。
【非特許文献１】デジャルネット（DeJarnette）・リサーチ・システム社、「パックス環境におけるＣＴワークフロー（CT Workflow in a PACS Environment）」、インターネット＜ＵＲＬ：http://www.dejarnette.com/Library/Article%20PDFs/CT%20Workflow%20in%20a%20PACS%20Environment.pdf＞、２００６年５月２６日検索
【手続補正２】
【補正対象書類名】明細書
【補正対象項目名】００１４
【補正方法】変更
【補正の内容】
【００１４】
図１に示すように、画像サーバ２は、制御部１１と、部位認識部１２と、部位分割処理部１３と、分割情報付加処理部１４と、格納部１５と、隣接画像特定部１６とを有している。制御部１１〜分割情報付加処理部１４及び隣接画像特定部１６は、例えば、ＣＰＵ（中央演算処理装置）と本実施形態に係る医用画像分割プログラムとによって構成されている。
【手続補正３】
【補正対象書類名】明細書
【補正対象項目名】００１８
【補正方法】変更
【補正の内容】
【００１８】
分割情報付加処理部１４は、次の（１）〜（３）に示す情報（隣接画像情報）、及び、胸部や腹部等の部位情報（（００１８，００１５）：Body Part）を生成し、分割後の各シリーズに画像付帯情報として付加する。
（１）分割前のシリーズに関する情報
分割情報付加処理部１４は、例えば、分割前のシリーズ画像を表す画像データから、分割前及び分割後のシリーズに共通する画像付帯情報（例えば、ＤＩＣＯＭタグ（００２８，００３０）：Pixel Spacingが付された情報）を取得し、それを分割後の各シリーズの画像データに付加する。
【手続補正４】
【補正対象書類名】明細書
【補正対象項目名】００１９
【補正方法】変更
【補正の内容】
【００１９】
（２）隣接するシリーズを特定する情報
分割情報付加処理部１４は、例えば、胸部が表された第１のシリーズ画像の画像データに対して、腹部が表された第２のシリーズ画像のファイル名や識別コードを付加し、第２のシリーズ画像の画像データに対して、第１のシリーズ画像のファイル名や識別コードを付加する。
【手続補正５】
【補正対象書類名】明細書
【補正対象項目名】００２０
【補正方法】変更
【補正の内容】
【００２０】
（３）隣接シリーズとの位置関係を表す情報
例えば、腹部に対して胸部は「上側」であるので、分割情報付加処理部１４は、第１のシリーズ画像の画像データに対して「上側」を表す情報を付加し、第２のシリーズ画像の画像データに対して「下側」を表す情報を付加する。或いは、このようなシリーズ画像相互の位置関係ではなく、共通の座標系に対する各シリーズ画像の位置座標を、隣接シリーズとの位置関係を表す情報として用いても良い。
これらの部位認識部１２〜分割情報付加処理部１４の動作については、後で具体的に説明する。
【手続補正６】
【補正対象書類名】明細書
【補正対象項目名】００２１
【補正方法】変更
【補正の内容】
【００２１】
格納部１５は、例えば、画像サーバ２に内蔵されているハードディスクドライブであり、制御部１１の制御の下で、分割前の画像データ及びその画像付帯情報や、部位分割処理部１３によって生成された分割後の画像データや、分割情報付加処理部１４によって画像データに付加された情報や、それらの各部を動作させるための制御プログラム（医用画像部位分割プログラム）等を格納する。なお、記録媒体としては、ハードディスクの他に、ＭＯ、ＭＴ、ＲＡＭ、ＣＤ−ＲＯＭ、又は、ＤＶＤ−ＲＯＭ等を用いても良く、その場合には、それらの記録媒体を駆動する駆動装置が、画像サーバ２に内蔵され、又は、画像サーバ２の外部に接続される。
【手続補正７】
【補正対象書類名】明細書
【補正対象項目名】００２２
【補正方法】変更
【補正の内容】
【００２２】
隣接画像特定部１６は、制御部１１や画像表示端末３を介して入力されるユーザ（読影医）の命令に従って、格納部１５に格納されている画像データの内から、画像表示端末３に表示中のシリーズ画像の分割相手であるシリーズ画像を検索して表示させる。検索の際には、分割情報付加処理部１４によって各シリーズ画像を表す画像データに付加された情報が用いられる。
【手続補正８】
【補正対象書類名】明細書
【補正対象項目名】００５７
【補正方法】変更
【補正の内容】
【００５７】
再び、図１を参照すると、例えば、シリーズ画像Ａに含まれるスライス画像が画像表示端末３に表示されている間に、ユーザによって隣接シリーズの表示命令が入力されると、隣接画像特定部１６はシリーズ画像Ａの画像付帯情報を検索する。その結果、スライス画像１０１（図１１）に付された隣接シリーズのシリーズ番号（＝３）が検出されると、隣接画像特定部１６は、シリーズ番号が３であるシリーズ画像Ｂを表す画像データを格納部１５から画像表示装置３に出力させる。そして、スライス画像１０１に付されたＤＩＣＯＭタグ（００２０，００５２）：Frame of Reference UID及び（００２０，００３２）：Image Position (Patient)に基づいて、シリーズ画像Ａに含まれるスライス画像１０１の次に、シリーズ画像Ｂに含まれるスライス画像１０２を表示させる。
【手続補正９】
【補正対象書類名】明細書
【補正対象項目名】００６４
【補正方法】変更
【補正の内容】
【００６４】
図１に示す隣接画像特定部１６は、例えば、画像表示端末３にシリーズ画像Ａ又はＢが表示されている間に、隣接シリーズの表示命令が入力された場合に、シリーズ画像Ａの画像付帯情報を検索することにより、スライス画像２０１ａに付された隣接シリーズのシリーズ番号（＝３）を検出する。そして、対応するスライス画像を表す情報に基づいて、シリーズ画像Ｂに含まれる一連のスライス画像の表示を、スライス画像２０１ｂ（スライス画像２０１ａに対応）から開始させる。
【手続補正１０】
【補正対象書類名】明細書
【補正対象項目名】００７３
【補正方法】変更
【補正の内容】
【００７３】
これらの識別番号００１及び００２により、画像Ａと画像Ｂとが隣接していることが特定される。また、画像Ａ内の座標（０，０，０）と画像Ｂ内の座標（０，０，９０）とが対応しており、画像Ａ内の座標（０，０，１０）と画像Ｂ内の座標（０，０，１００）とが対応していることが特定される。
【手続補正１１】
【補正対象書類名】明細書
【補正対象項目名】００７９
【補正方法】変更
【補正の内容】
【００７９】
医用画像分割装置（以下、単に「画像分割装置」ともいう）７は、部位分割処理部７１と、分割情報付加処理部７２と、隣接画像特定部７３とを含んでいる。これらの各部７１〜７３の動作は、図１に示す部位分割処理部１３、分割情報付加処理部１４、及び、隣接画像特定部１６におけるものとそれぞれ同様である。このような画像分割装置７は、例えば、先に説明した医用画像分割プログラムが読み込まれたパーソナルコンピュータ（ＰＣ）によって構成されている。
【手続補正１２】
【補正対象書類名】明細書
【補正対象項目名】００８７
【補正方法】変更
【補正の内容】
【００８７】
１  モダリティ
１ａ  コンピュータ断層撮影（ＣＴ）装置
１ｂ  コンピュータ放射線撮影（ＣＲ）装置
１ｃ  磁気共鳴撮像（ＭＲＩ）装置
１ｄ  ポジトロン断層撮影（ＰＥＴ）装置
１ｅ  超音波撮像（ＵＳ）装置
２、５  画像サーバ
３  画像表示端末
３ａ、４ａ  画面
４  読影用端末
４ｂ  入力デバイス
６  部位認識装置
７  画像分割装置
８  画像格納装置
１１  制御部
１２  部位認識部
１３、７１  部位分割処理部
１４、７２  分割情報付加処理部
１５  格納部
１６、７３  隣接画像特定部
３０  診療科端末
４０  放射線科情報管理システム（ＲＩＳ）
５０  病院情報システム（ＨＩＳ）
１０１、１０２、２０１ａ、２０１ｂ、２０２ａ、２０２ｂ  スライス画像
１２１  特徴量計算部
１２２  部位確信度計算部
１２３  スコアテーブル記憶部
１２４  部位決定処理部
１２５  部位情報記憶部
１２６  部位修正処理部
【手続補正１３】
【補正対象書類名】図面
【補正対象項目名】図１
【補正方法】変更
【補正の内容】
【図１】
2008006091.tif 000001
【手続補正１４】
【補正対象書類名】図面
【補正対象項目名】図１５
【補正方法】変更
【補正の内容】
【図１５】
2008006091.tif 000002
【手続補正１５】
【補正対象書類名】図面
【補正対象項目名】図１６
【補正方法】変更
【補正の内容】
【図１６】
2008006091.tif 000003